(57)【要約】【課題】  大きさが異なる様々な携帯電話等の携帯機器を簡単に保持することができ、その保持操作や取り外しの操作を簡単に行うことができた上で、とくに振動や揺れの激しい箇所に取り付けても携帯機器が脱落してしまうことのない保持装置を提供する。【解決手段】上記課題を解決するために本発明に係る取付手段を有する保持装置は、筐体と、この筐体に装備され、当該筐体上に載置されたところの前記携帯機器の端部を着脱可能に保持する保持機構と、同じく前記筐体に装備され、前記保持機構による前記携帯機器の保持状態をロック或は解除するロック・解除機構とで構成したことで解決した。【選択図】図２
2020088486.tif 000002
【特許請求の範囲】
【請求項１】
携帯機器を保持して様々なところへ着脱可能に取り付けることのできる取付手段を有する保持装置であって、筐体と、この筐体に装備され、当該筐体上に載置されたところの前記携帯機器の端部を係合保持でき、かつ着脱可能に保持する保持機構と、同じく前記筐体に装備され、前記保持機構による前記携帯機器の保持状態をロック或は解除するロック・解除機構とで構成したことを特徴とする、携帯機器の保持装置。
【請求項２】
前記保持機構は、前記筐体の前後方向或は左右方向において互いに対向する方向にスライド付勢されて設けられたところの一対の第１保持部材及び第２保持部材と同期スライド機構とで構成されていることを特徴とする、請求項１に記載の携帯機器の保持装置。
【請求項３】
前記第１保持部材と第２保持部材は、それぞれ前記携帯機器の端部を挿入係止させる係合部が設けられていることを特徴とする、請求項２に記載の携帯機器の保持装置。
【請求項４】
前記同期スライド機構は、前記筐体内部に回転自在に設けられたピニオンと、前記第１保持部材と前記第２保持部材にそれぞれ設けられ、前記ピニオンに互いに対向する側において噛み合うラック部とで構成されたことを特徴とする、請求項２に記載の携帯機器の保持装置。
【請求項５】
前記ロック・解除機構は、ラチェット機構で構成されていることを特徴とする、請求項１に記載の、携帯機器の保持装置。
【請求項６】
前記同期スライド機構のピニオンと前記ロック・解除機構のラチェットは、互いに重ね合わされて回転制御円盤を構成していることを特徴とする、請求項１に記載の携帯機器の保持装置。
【請求項７】
前記取付手段は、自転車や自動二輪車のハンドルへ着脱可能に取り付けられる構成であることを特徴とする、請求項１に記載の携帯機器の保持装置。
【請求項８】
前記取付手段は、人間の腕に着脱可能に取り付けることのできる構成であることを特徴とする、請求項１に記載の携帯機器の保持装置。
【請求項９】
前記取付手段は、自動車のダッシュボードへ着脱可能に取り付けることのできる構成であることを特徴とする、請求項１に記載の携帯機器の保持装置。
【発明の詳細な説明】
【技術分野】
【０００１】
本発明は、保持装置に関し、とくに、携帯電話等の携帯機器を着脱可能に保持する保持装置に関する。
【背景技術】
【０００２】
従来から、自動車の車内で使用者が把持することなく自由に使用できるようにした携帯電話用の保持装置が各種提案されており、例えば、下記の特許文献１や特許文献２に記載されたものが公知である。この特許文献１に記載の保持装置は、携帯電話を保持する保持機構が、携帯電話の大きさに合わせて予め手動で調節されるものであり、特許文献２に記載の保持装置は、携帯電話が挿入可能な挿入穴の内壁面に設けられたエアバックへの空気の供給により携帯電話を固定するように調節されるものである。
【先行技術文献】
【特許文献】
【０００３】
【特許文献１】特開平７−２０３５２５号公報
【特許文献２】特開２００１−１０３１４０号公報
【発明の概要】
【発明が解決しようとする課題】
【０００４】
しかし、特許文献１に記載の保持装置においては、保持する携帯電話の大きさに合わせて予め保持装置を手動で調節する必要があるので、大きさが異なるその他の携帯電話を保持させるときに手間がかかり、特許文献２に記載の保持装置においては、様々な大きさの携帯電話を保持できるが、エアバックに空気の供給を行う空気供給手段を自動車に設ける必要があり、設置するのに手間がかかる。
【０００５】
そのため、大きさが異なる様々な携帯電話を簡単に保持することができ、その保持の操作が空気供給手段等を設けずに手動で行うことができる保持装置が要望されていた。とくに、スマートフォンのように、通話機能だけでなく、ナビケーション機能や、音楽再生機能を有する多機能な携帯電話や、その他の様々な大きさの持ち運び可能な携帯機器の普及に伴い、自動車だけでなく、使用者の身体や自転車や自動二輪車に用いることができ、大きさが異なる様々な携帯機器を簡単に保持することができるものが要望されている。
【０００６】
以上より、本発明が解決しようとする課題は、大きさが異なる様々な携帯電話等の携帯機器を簡単に保持することができ、その保持操作や取り外しの操作を簡単に行うことができた上で、とくに振動や揺れの激しい箇所に取り付けても携帯機器が脱落してしまうことのない保持装置を提供することである。
【課題を解決するための手段】
【０００７】
上記目的を達成するために、本願請求項１発明は、携帯機器を保持して様々なところへ着脱可能に取り付けることのできる取付手段を有する保持装置であって、筐体と、この筐体に装備され、当該筐体上に載置されたところの前記携帯機器の端部を係合保持でき、かつ着脱可能に保持する保持機構と、同じく前記筐体に装備され、前記保持機構による前記携帯機器の保持状態をロック或は解除するロック・解除機構とで構成したことを特徴とする。
【０００８】
次に、本願請求項２発明は、前記保持機構が、前記筐体の前後方向或は左右方向において互いに対向する方向にスライド付勢されて設けられたところの一対の第１保持部材及び第２保持部材と同期スライド機構とで構成されていることを特徴とする。
【０００９】
次に、請求項３発明は、前記第１保持部材と第２保持部材に、それぞれ前記携帯機器の端部を挿入係止させる係合部が設けられていることを特徴とする。
【００１０】
さらに、本願請求項４発明は、前記同期スライド機構が、前記筐体内部に回転自在に設けられたピニオンと、前記第１保持部材と前記第２保持部材にそれぞれ設けられ、前記ピニオンに互いに対向する側において噛み合うラック部とで構成されたことを特徴とする。
【００１１】
さらに、本願請求項５発明は、前記ロック・解除機構が、ラチェット機構で構成されていることを特徴とする。
【００１２】
さらに、本願請求項６発明は、前記同期スライド機構のピニオンと前記ロック・解除機構のラチェットは、互いに重ね合わされて回転制御円盤を構成していることを特徴とする。
【００１３】
さらに、本願請求項７発明は、前記取付手段が、自転車や自動２輪車のハンドルへ着脱可能に取り付けられる構成であることを特徴とする。
【００１４】
さらに、本願請求項８発明は、前記取付手段が、人間の腕に着脱可能に取り付けることのできる構成であることを特徴とする。
【００１５】
さらに、本願請求項９発明は、前記取付手段が、自動車のダッシュボードへ着脱可能に取り付けることのできる構成であることを特徴とする。
【発明の効果】
【００１６】
本発明は、以上のように構成したので、請求項１発明によれば、取付手段で様々なところに取り付けた筐体上に携帯機器を保持機構によって着脱可能に保持でき、この保持機構によって保持された携帯機器をロック・解除機構でワンタッチでロックしたり解除したりすることができるものである。
【００１７】
請求項２発明によれば、筐体上に載置した携帯機器を、保持機構の第１保持部材及び第２保持部材と同期回転機構により、簡単な操作で保持することができるものである。
【００１８】
請求項３発明によれば、携帯機器の端部を挿入係止させることができることから、携帯機器を確りと保持させることができるものである。
【００１９】
請求項４発明によれば、ピニオンとラック部による同期回転機構により、第１保持部材と第２保持部材を同期してスライドさせることができることから、携帯機器の着脱操作が容易となるという作用効果を奏し得る。
【００２０】
請求項５発明によれば、ラチェット機構により、第１保持部材と第２保持部材による携帯機器の保持と解除が簡単容易となるという効果を奏し得る。
【００２１】
請求項６発明によれば、同期回転機構のピニオンとロック・解除機構ラチェットが一つの回転制御円盤にまとまることから、装置の簡略化に寄与することができるものである。
【００２２】
請求項７から９発明によれば、自転車や自動２輪車、人間の腕、或は自動車のダッシュボードなど携帯機器を取り付けて携帯機器の持つ各種機能を利用することができ、利便性が向上させることができる。
【図面の簡単な説明】
【００２３】
【図１】本発明の実施形態の保持装置を示す斜視図である。
【図２】図１に示す保持装置の分解斜視図である。
【図３】図１に示す保持装置の動作を説明する平面図であり、（ａ）は携帯機器を保持している状態を示し、（ｂ）は（ａ）の状態からラチェット機構を操作して第１保持部材と第２保持部材が外側へ開かれた状態を示している。
【図４】図１に示す保持装置の装着基盤を示し、（ａ）はその斜視図、（ｂ）はそのＡ−Ａ線断面図である。
【図５】図１に示す保持装置のカバープレートを示し、（ａ）はその斜視図、（ｂ）はそのＢ−Ｂ線断面図である。
【図６】図１に示す保持装置の係止爪部材を示し、（ａ）はその平面図、（ｂ）はそのＣ−Ｃ線断面図である。
【図７】図１に示す保持装置の回転制御円盤を示し、（ａ）はその正面図、（ｂ）はその平面図、（ｃ）はその底面図である。
【図８】図１に示す保持装置のロック・解除機構のロック解除状態を示し、（ａ）はその側面図、（ｂ）はその一部断面平面図である。
【図９】本発明に係る保持装置の使用方法を示す説明図であり、（ａ）は保持装置でスマートフォンを保持する前の状態を示し、（ｂ）はスマートフォンを保持した状態を示し、（ｃ）はスマートフォンを保持状態から取り外す前の状態を示し、（ｄ）はスマートフォンを保持装置から取り外した状態を示している。
【図１０】本発明に係る保持装置の取付手段の他の実施形態を示す斜視図である。
【図１１】本発明に係る保持装置の取付手段のさらに他の実施形態を示す側面図である。
【発明を実施するための形態】
【００２４】
以下に、本発明に係る保持装置１の実施形態を図面に基づいて説明する。以下の説明では、携帯機器としてスマートフォンを例に挙げて説明するが、本発明に係る保持装置はこれに限定されず、タブレットＰＣ（Ｐｅｒｓｏｎａｌ Ｃｏｍｐｕｔｅｒ）、ノートＰＣ、その他の様々な携帯機器を保持するのに用いることができる。したがって、この理由により、以下の説明では携帯機器をスマートフォン１００として説明するが、請求項では携帯機器と記載する。
【００２５】
本実施形態に係る保持装置１は、図１〜９に示すように、筐体２と、この筐体２に装備され、当該筐体２上に載置されたところのスマートフォン１００の端部を保持する保持機構Ｈと、同じく筐体２に装備され、保持機構Ｈによる前記スマートフォン１００の保持状態をロック或は解除するロック・解除機構Ｒとで構成されている。
保持機構Ｈは、筐体２の前後方向或は左右方向において互いに対向する方向にスライド付勢されて設けられたところの一対の第１保持部材６及び第２保持部材７と同期スライド機構Ｓとで構成されており、第１保持部材６と第２保持部材７には、それぞれスマートフォン１００の端部を挿入係止させる第１係合部６ｃと第２係合部７ｃが設けられている。
【００２６】
さらに、同期スライド機構Ｓは、筐体２内部に回転自在に設けられたピニオン５ｂと、第１保持部材６と前記第２保持部材７にそれぞれ設けられ、前記ピニオン５ｂに互いに対向する側において噛み合うラック部６ｆ、７ｆとで構成されており、同期スライド機構Ｓは、ラチェット機構Ｌで構成されている。さらに、同期スライド機構Ｓのピニオン５ｂが、前記ロック・解除機構Ｒのラチェット５ａと、互いに重ね合わされて回転制御円盤５を構成している。
【００２７】
さらに、取付手段９、９Ａ及び９Ｂは、自転車や自動２輪車のハンドルは人間の腕や、自動車のダッシュボードへ着脱可能に取り付けられるようになっている。
【００２８】
筐体２は、装着基盤３と、装着基盤３よりも保持されるスマートフォン１００側に位置しスマートフォン１００と当接する当接面４ｅを有するカバープレート４と、を有する。装着基盤３は、スマートフォン１００と当接する矩形状の本体部３ａと、本体部３ａの一方の長辺から、カバープレート４が配置する側に隆起して形成された第１側壁３ｊと、第１側壁３ｊに対向するように、もう一方の長辺から形成された第２側壁３ｐと、を有し、カバープレート４は、本体部３ａと対向する矩形状の本体部４ａと、本体部４ａの周縁から装着基盤３が配置する側に隆起して形成された周壁４ｊと、を有する。
【００２９】
装着基盤３の第１側壁３ｊ、第２側壁３ｐは、先端に平坦な当接面３ｋ，３ｒが形成されており、カバープレート４の周壁４ｊは、先端に当接面３ｋ、３ｒと当接する当接面４ｋが形成されている。当接面３ｋ、３ｒには、ボス孔３ｍ、３ｓが形成されており、当接面４ｋには、ボス孔３ｍ、３ｓに嵌合するように形成され、ボス孔３ｍ、３ｓの内部に形成されたネジ孔３ｎ、３ｔとそれぞれ繋がるネジ穴４ｎを有する位置決めボス４ｍが形成されている。
【００３０】
ボス孔３ｍ、３ｓに位置決めボス４ｍを勘合して位置決めすると、装着基盤３の本体部３ａの一対の溝３ｅの間に形成された回転制御円盤５の軸部５ｄの一端部５ｅ側を支持する丸穴３ｂと、カバープレート４の本体部４ａに形成された回転制御円盤５の軸部５ｄの他端部５ｆ側を支持する丸穴４ｂが、回転制御円盤５を回転可能に支持できるように配置され、さらに、本体部３ａからカバープレート４側に向かって形成され、本体部３ａを貫通しさらにその先端まで貫通するネジ孔３ｄを有する固定ボス３ｃと、本体部４ａから装着基盤３側に向かって形成され、その先端から基端まで形成され、ネジ孔３ｄと繋がるネジ孔４ｄを有する固定ボス４ｃが当接する。その状態で、ネジ孔４ｄから取付けネジ２ｃが挿入され螺合させることにより、筐体２を形成させることができ、その内部に、保持機構Ｈを構成する回転制御円盤５や、第１保持部材６と第２保持部材７の一部や、係止爪部材８の一部を収容する収容空間を形成され、装着基盤３の側壁のない一対の短辺と、その短辺に対抗するカバープレート４の周壁４ｊにより、その収容空間と外部とを繋げて、第１保持部材６と第２保持部材７の摺動部６ａ、７ａが収容空間で摺動可能に挿入するための第１摺動孔２ｇが形成される。
【００３１】
さらに、ロック・解除機構Ｒの構成は以下のようである。筐体２の装着基盤３は、第１側壁３ｊから丸穴３ｂに向かって、配置された回転制御円盤５と当接しないように伸び、第１側壁３ｊの当接面３ｋと面一になるように、摺動面３ｈが形成され、この摺動面３ｈを、回転制御円盤５のラチェット５ｃと噛合可能に形成された噛合爪８ｂを有する第１摺動部８ａが摺動する。カバープレート４には、噛合爪８ｂがラチェット５ｃと噛合しているときに、第１摺動部８ａが回転制御円盤５の回転により噛合位置からずれないように規制するために、周壁４ｊから第１摺動部８ａ摺動方向に沿って伸びる一対の規制部４ｈが形成され、これらの規制部４ｈが対向する間の周壁４ｊに、使用者が係止爪部材８を保持するときに用いられる保持部８ｈを有する第２摺動部８ｇが本体部４ａを摺動できるように切欠き４ｐが形成され、切欠き４ｐの中において、係止爪部材８の第１摺動部８ａと第２摺動部８ｇを繋ぐ棒状の２つの連結部８ｃの間に形成された窓部８ｄに、係止爪部材８を非噛合位置から噛合位置の方向に付勢する第２付勢手段による付勢方向と直交する方向に沿って形成されて第３弾性部材２ｉの一端と当接する壁部４ｔとその左右の縁から回転制御円盤５に向かって設けられた第３弾性部材２ｉの位置を維持するための一対の側壁４ｕとを有し窓部８ｄに挿入される支持部４ｓと、支持部４ｓと各々の規制部４ｈとの間に、係止爪部材８の連結部８ｃが長軸方向に摺動するために形成された摺動溝４ｒ、４ｒと、を有する。筐体２が形成されると、各々の摺動溝４ｒの解放面が摺動面３ｈにより蓋がされて、第２摺動孔２ｈが形成される。これにより、係止爪部材８が非噛合位置と噛合位置を相互に移動可能な状態で、筐体２から抜け落ちるのを防止できる。
【００３２】
係止爪部材８の窓部８ｄには、挿入された支持部４ｓと対向する位置に、第２付勢手段を構成する第３弾性部材２ｉに挿入されて第３弾性部材２ｉの位置を維持するための維持ピン８ｅが形成されており、第３弾性部材２ｉの一端が窓部８ｄに支持され、他端が支持部４ｓに支持されている。これにより、係止爪部材８は、非噛合位置から噛合位置に向けて付勢されており、使用者が非噛合位置に移動させるまで、噛合位置に位置した状態を維持できる。
【００３３】
さらに、同期スライド機構Ｓについて説明する。装着基盤３には、本体部３ａの第１側壁３ｊの近傍に第１付勢手段を構成する第１係止ピン３ｆが形成され、本体部３ａの第２側壁３ｐの近傍で、丸穴３ｂを中心に第１係止ピン３ｆと点対称の位置に、第１係止ピン３ｆと同様に、第２付勢手段を構成する第２係止ピン３ｇが形成されている。第１係止ピン３ｆと第２係止ピン３ｇは、その先端がカバープレート４の２つのピン穴４ｆにそれぞれ挿入されており、それぞれに第１付勢手段を構成する第１弾性部材２ｄと第２付勢手段を構成する第２弾性部材２ｅの各一端が係止され、それぞれの他端が第１保持部材６と第２保持部材７の係止部６ｇ、７ｇに係止されている。つまり、第１弾性部材２ｄと第２弾性部材２ｅは、第１側壁３ｊ側と第２側壁３ｐ側にそれぞれ設置されている。この２つの第１付勢手段と第２付勢手段は、設けられている位置が異なるがその構造が同じである。
まず、第１側壁３ｊ側の第１付勢手段を例に挙げて説明する。第１弾性部材２ｄは、一端が第１係止ピン３ｆに係止され、他端が第１保持部材６の筐体２の内部に摺動可能に挿入されている摺動部６ａの先端に形成された係止部６ｇに係止されている。これにより、第１保持部材６は、保持位置に配置したときに、第１弾性部材２ｄにより外方向に向けて付勢されている。そのため、第１保持部材６は、係止爪部材８を非噛合位置に移動させると、保持位置から解放位置に向けて移動することができる。
第２弾性部材２ｅは、一端が第２係止ピン３ｇに係止され、他端が第２保持部材７の筐体２の内部に摺動可能に挿入されている摺動部７ａの先端に形成された係止部７ｇに係止されている。これにより、第２保持部材７は、保持位置に配置したときに、第２弾性部材２ｅにより外方向に向けて付勢されている。そのため、第２保持部材７は、係止爪部材８を非噛合位置に移動させると、保持位置から解放位置に向けて移動することができる。
【００３４】
回転制御円盤５は、その下面側にピニオン５ｂが形成され、上面側にラチェット５ｃが形成されている。ピニオン５ｂは、第１保持部材６の第１ラック部６ｆと噛合し、その半径方向の反対側で第２保持部材７の第２ラック部７ｆと噛合しており、これにより、第１保持部材６と第２保持部材７がそれぞれ反対方向へ同じ距離だけ摺動する。このため、第１保持部材６と第２保持部材７の何れか一方を摺動させると、他方も同じ距離移動させることができる。そして、ラチェット５ｃは、第１保持部材６と第２保持部材７が解放位置から保持位置に移動するときに、係止爪部材８の噛合爪８ｂが噛合していても空転する空転方向に回転し、保持位置から解放位置に移動するときに回転が規制される回転規制方向に回転するように形成されている。これにより、係止爪部材８を非噛合位置に配置するまで、第１保持部材６と第２保持部材７の解放位置への移動を規制して、スマートフォン１００が保持された状態を維持できる。また、スマートフォン１００を保持装置１から取り外すときは、係止爪部材８を非噛合位置に移動させることによりラチェット５ｃが回転規制方向に回転可能になり、第１保持部材６と第２保持部材７のそれぞれが保持位置に配置したときに解放位置に向けて付勢する第１付勢手段と第２付勢手段により、第１保持部材６と第２保持部材７が保持位置から解放位置に摺動されて、スマートフォン１００を解放できる。また、スマートフォン１００を保持装置１に保持させるときには、使用者が第１保持部材６と第２保持部材７の何れか一方を解放位置から保持位置に押し込むと、ラチェット５ｃが噛合爪８ｂと噛合していても空転する空転方向に回転して、他方も同じ距離だけ移動して、保持位置に配置させて、スマートフォン１００を保持できる。
【００３５】
同期スライド機構Ｓの第１保持部材６は、それが筐体２から抜け落ちるのを防止するために溝３ｅに挿入される係止突起６ｈを有する連結部６ｂと、この連結部６ｂに設けられたところの筐体２の内部に挿入される摺動部６ａと、連結部６ｂを介して繋がる第１係合部６ｃとを有する。第１係合部６ｃは、スマートフォン１００の側面と当接して横方向への移動を規制する側壁６ｄと、側壁６ｄと繋がり、スマートフォン１００の横方向と直交する上下方向への移動を規制する上板６ｅと、を有する。第２保持部材７は、第１保持部材６と筐体２に挿入される向きが異なる他は、その構造が同じである。つまり、第２保持部材７は、それが筐体２から抜け落ちるのを防止するために溝３ｅに挿入される係止突起７ｈを有する連結部７ｂと、この連結部７ｂに設けられたところの筐体２の内部に挿入される摺動部７ａと、連結部７ｂを介して繋がる第２係合部７ｃとを有する。第２係合部７ｃは、スマートフォン１００の側面と当接して横方向への移動を規制する側壁７ｄと、側壁７ｄと繋がり、スマートフォン１００の横方向と直交する上下方向への移動を規制する上板７ｅと、を有する。第１保持部材６と第２保持部材７は、摺動部６ａ、７ａの一部が、装着基盤３の本体部３ａと回転制御円盤５の板部５ａに挟まれているので、ガタつくことなく摺動することができ、第１ラック部６ｆと第２ラック部７ｆがピニオン５ｂと噛合した状態を維持することができる。そして、スマートフォン１００の上下端部と係合する一対の第１係合部６ｃ、第２係合部７ｃにより、スマートフォン１００が横方向と上下方向に移動するのを規制して確りと保持装置１に保持させることができる。
【００３６】
なお、保持機構Ｈの第１保持部材６と第２保持部材７は筐体２の上下方向にスライドしてスマートフォン１００の上下端部を係合保持する構成であるが、この第１保持部材６と第２保持部材７を筐体２の左右方向にスライド可能に構成して、スマートフォン１００の左右の端部を係合保持するように構成しても良い。
【００３７】
取付手段９は、自転車のハンドル等に固定される固定部９ａと、固定部９ａを筐体２の装着基盤３に連結する連結部９ｂと、を有する。連結部９ｂには、装着基盤３に設けられたネジ穴３ｕと繋がるネジ孔９ｃが形成されており、そのネジ孔９ｃに螺合させたときに、先端が筐体２の内部に突き出ない長さに形成された連結ネジ２ｆが螺合されて連結される。
【００３８】
次に、本発明に係る保持装置１の組立手順について説明する。この説明は、まず、第１付勢手段と第２付勢手段を形成させた状態で第１保持部材６と第２保持部材７を装着基盤３に取り付け、次いで、第３付勢手段を形成させた状態で係止爪部材８を取り付ける順に説明する。
【００３９】
まず、第１付勢手段と第２付勢手段を形成させた状態で第１保持部材６と第２保持部材７を装着基盤３に取り付ける工程であるが、まず、第１保持部材６の摺動部６ａの先端に形成された係止部６ｇに第１弾性部材２ｄの一端を係止して、他端を装着基盤３の第１係止ピン３ｆに係止する。同様に、第２保持部材７の摺動部７ａの先端に形成された係止部７ｇに第１弾性部材２ｄの一端を係止して、他端を装着基盤３の第２係止ピン３ｇに係止する。これにより、第１付勢手段と第２付勢手段が形成される。そして、回転制御円盤５のピニオン５ｂの軸部５ｄを丸穴３ｂに挿入する。
【００４０】
次に、第３付勢手段を形成させた状態で係止爪部材８を取り付ける工程であるが、まず、摺動溝４ｒに連結部８ｃを摺動可能に嵌めて、窓部８ｄに支持部４ｓを挿入する。その状態で、第３弾性部材２ｉの一端に維持ピン８ｅを挿入して、他端を支持部４ｓの壁部４ｔに当接させる。これにより、第３付勢手段が形成される。
【００４１】
上記のように、第１保持部材６と第２保持部材７を装着基盤３に第１付勢手段と第２付勢手段を形成させた状態で取り付け、次いで係止爪部材８を第３付勢手段を形成させた状態で取り付けた後に、装着基盤３とカバープレート４を組み合わせて、ネジ孔３ｎ、３ｔとそれぞれ繋がるネジ穴４ｎから挿入された取付けネジ２ｃを螺合させることにより、内部に第１付勢手段、第２付勢手段及び第３付勢手段が形成された状態で筐体２を形成させることができる。そして、この筐体２に取付手段９を取り付けることにより、保持装置１が形成される。
【００４２】
次に、本発明に係る保持装置１の動作について説明する。保持装置１は、図９（ａ）に示したように、保持装置１にスマートフォン１００を保持させるまでは、保持機構Ｈの第１保持部材６と第２保持部材７を解放位置に配置させることができ、このときロック・解除機構Ｒを構成するラチェット機構Ｌの噛合爪８ｂがラチェット５ｃと噛合する噛合位置に係止爪部材８が配置されているので、第１保持部材６と第２保持部材７の配置を維持することができる。そして、図９（ａ）に示した状態から、第１係合部６ｃと第２係合部７ｃの間に位置するカバープレート４の当接面４ｅにスマートフォン１００を載置させて、使用者が第１保持部材６と第２保持部材７の何れか一方を解放位置から保持位置に押し込むと、ラチェット５ｃが噛合爪８ｂと噛合していても空転する空転方向に回転することができるので、他方も同じ距離だけ移動する。これにより、図９（ｂ）に示したように、スマートフォン１００が保持装置１の第１保持部材６と第２保持部材７の第１係合部６ｃと第２係合部７ｃにその上下左右方向並びに両端部を挿入させた状態で係合保持させることができる。したがって、スマートフォン１００は、そのさまざまな取付手段により大きく揺れたり激しく振動したりする箇所に取付けられても、保持機構Ｈから、外れてしまう虞がない。そして、図９（ｂ）に示した状態から、図９（ｃ）に示したように、使用者が係止爪部材８を保持して噛合位置から非噛合位置に移動させると、噛合爪８ｂが離れたラチェット５ｃが回転規制方向に回転可能になり、第１付勢手段と第２付勢手段により、図９（ｄ）に示したように、第１保持部材６と第２保持部材７がそれぞれ保持位置から解放位置に摺動して、第1係合部６ｃ、第２係合部７ｃの間に位置するカバープレート４の当接面４ｅに配置されたスマートフォン１００を取り出すことができる。そして、係止部８から手を離すと、第３付勢手段により、噛合爪８ｂがラチェット５ｃと噛合する噛合位置に係止爪部材８が配置して、図９（ａ）に示した状態のように、再びスマートフォン１００を保持装置１に保持されるまで、第１保持部材６と第２保持部材７を解放位置に配置した状態で維持することができる。
【００４３】
以上説明したように、本実施形態に係る保持装置１は、回転制御円盤５の下面側にピニオン５ｂが形成され、上面側にラチェット５ｃが形成されており、ピニオン５ｂは、それぞれ反対位置で第１保持部材６の第１ラック部６ｆと第２保持部材７の第２ラック部７ｆとが噛み合っているので、第１保持部材６か第２保持部材７のいずれか一方がスライドすると、他方はその反対方向へ同じ距離スライドする構成である。ラチェット５ｃは第１保持部材６と第２保持部材７が筐体２の外方向へスライドする場合には、係止爪部材８の係止爪部８ｂによって係止され、筐体２の内方向へ移動する場合には、係止爪部材８の係止爪部８ｂによって係止されず空転するように構成されている。第１保持部材６と第２保持部材７は、第１付勢手段と第２付勢手段によって、筐体２の内側へスライドする方向にスライド付勢されている。さらに、第１保持部材６と第２保持部材７のそれぞれが保持位置に配置したときに解放位置に向けて付勢する第１付勢手段及び第２付勢手段と、係止爪部材８を非噛合位置から噛合位置の方向に付勢する第３付勢手段が形成されていることにより、スマートフォン１００を保持装置１に保持させる操作も、取り外す操作も、片手で行うことができるので、もう一方の手でスマートフォン１００を持つことができる。そのため、スマートフォン１００を保持装置１に保持させる操作と取り外す操作の両方の利便性を向上させることができる。
【００４４】
なお、本実施形態では、取付手段９が自転車のハンドルに取付けられるものであったが、本発明はこれに限定されない。図１０に示した取付手段９Ａのように、使用者の腕や足に取付けられるものであってもよい。この取付手段９Ａとしては、例えば、使用者の腕や足に当接する当接部９ｄと当接部９ｄを取り付けるための取付バンド９ｅと取付バンド９ｅを通して止めるために当接部９ｄに設けられ孔９ｆを有するものが挙げられる。
【００４５】
さらに、保持装置１は、図１１に示したように、取付手段９Ｂによって自動車のダッシュボードに取り付けるようにしても良い。この場合は、取付手段９Ｂが、吸盤１０と、その吸盤１０をダッシュボード等の床面に押し当てて確りと取付ける取付機構１１とで構成され、吸盤１０に対し保持装置１の筐体２を揺動可能に取り付けるように構成することができる。或はこの吸盤に変えて磁石を用いることも考えられる。
【００４６】
そして、付勢手段として、コイルバネを用いた例を挙げて説明したが、これに限定されるものではなく、ゴムバンドや圧縮コイルスプリング等の、その他の付勢手段を適宜用いることもできる。
【産業上の利用可能性】
【００４７】
本発明は、以上のように構成したので、大きさの異なる様々な携帯機器を保持して、様々な個所に取り付けて、その本来ではない保持状態で、その機能を発揮させることができる保持装置として公的に用いることができるものである。
【符号の説明】
【００４８】
Ｈ  保持機構
Ｒ  ロック・解除機構
Ｓ  同期スライド機構
Ｌ  ラチェット機構
１００  スマートフォン（携帯機器）
１  保持装置
２  筐体
２ｄ  第1弾性部材
２ｅ  第２弾性部材
２ｉ  第３弾性部材
３  装着基盤
３ｊ  第１側壁
３ｐ  第２側壁
４  カバープレート
５  回転制御円盤
５ｂ  ピニオン
５ｃ  ラチェット
６  第１保持部材
６ｃ  第1係合部
６ｆ  第１ラック部
７  第２保持部材
７ｃ  第２係合部
７ｆ  第２ラック部
８  係止爪部材
【図１】
2020088486.tif 000003
【図２】
2020088486.tif 000004
【図３】
2020088486.tif 000005
【図４】
2020088486.tif 000006
【図５】
2020088486.tif 000007
【図６】
2020088486.tif 000008
【図７】
2020088486.tif 000009
【図８】
2020088486.tif 000010
【図９】
2020088486.tif 000011
【図１０】
2020088486.tif 000012
【図１１】
2020088486.tif 000013